【手続補正書】
【提出日】平成28年10月4日(2016.10.4)
【手続補正１】
【補正対象書類名】特許請求の範囲
【補正対象項目名】全文
【補正方法】変更
【補正の内容】
【特許請求の範囲】
【請求項１】
第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１のタイプまたは第２のタイプの制御チャネルのうちの１つであり、およびここにおいて、前記キャリア指示情報の値が、前記第１のタイプと前記第２のタイプの制御チャネルの両方のための前記第２のコンポーネントキャリアを識別する、
前記第１と前記第２の制御チャネルとを処理することと
を備える、ワイヤレス通信の方法。
【請求項２】
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、請求項１に記載の方法。
【請求項３】
前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成される、請求項１に記載の方法。
【請求項４】
前記第１の制御チャネルのために構成された第１の探索空間と、前記第２の制御チャネルのために構成された第２の探索空間とを監視することをさらに備え、前記第１と前記第２の探索空間とがリソースの前記共通セットを共有する、請求項３に記載の方法。
【請求項５】
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することと
を備える、ワイヤレス通信の方法。
【請求項６】
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、請求項５に記載の方法。
【請求項７】
前記第１の制御チャネルと前記第２の制御チャネルとは、拡張物理ダウンリンク制御チャネル（ＥＰＤＣＣＨ）であり、
前記方法は、前記第１の制御チャネルと前記第２の制御チャネルとのためのリソースの共通セットを構成することをさらに備える、請求項５に記載の方法。
【請求項８】
前記第１の制御チャネルのために第１の探索空間を、および前記第２の制御チャネルのために第２の探索空間を構成することをさらに備え、前記第１の探索空間と前記第２の探索空間とがリソースの前記共通セットを共有する、請求項７に記載の方法。
【請求項９】
第１のコンポーネントキャリアと第２のコンポーネントキャリアとを受信するための手段と、前記第１のコンポーネントキャリアは、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するための手段と
を備える、ワイヤレス通信のための装置。
【請求項１０】
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、請求項９に記載の装置。
【請求項１１】
前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成された、請求項９に記載の装置。
【請求項１２】
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するための手段と、ここにおいて、前記第２の制御チャネルが少なくとも第１または第２のタイプの制御チャネルのうちの１つであり、およびここにおいて、前記キャリア指示情報の値は、前記第１と前記第２のタイプとの制御チャネルの両方のための前記第２のコンポーネントキャリアを識別する、
前記第１と前記第２のコンポーネントキャリアとを送信するための手段と
を備える、ワイヤレス通信のための装置。
【請求項１３】
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、請求項１２に記載の装置。
【請求項１４】
前記第１の制御チャネルと前記第２の制御チャネルとは、拡張物理ダウンリンク制御チャネル（ＥＰＤＣＣＨ）であり、
前記装置は、前記第１の制御チャネルと前記第２の制御チャネルとのためのリソースの共通セットを構成するための手段をさらに備える、請求項１２に記載の装置。
【請求項１５】
請求項１乃至８のうちのいずれか１項に記載の方法を実行するための命令を備える、コンピュータプログラム。
【手続補正２】
【補正対象書類名】明細書
【補正対象項目名】０１２２
【補正方法】変更
【補正の内容】
【０１２２】
[0139]以上の説明は、当業者が本明細書で説明した様々な態様を実施できるようにするために提供したものである。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、出願当初の特許請求の範囲に記載された発明を付記する。
［Ｃ１］
第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１のタイプまたは第２のタイプの制御チャネルのうちの１つであり、およびここにおいて、前記キャリア指示情報の値が、前記第１のタイプと前記第２のタイプの制御チャネルの両方のための前記第２のコンポーネントキャリアを識別する、
前記第１と前記第２の制御チャネルとを処理することとを備える、ワイヤレス通信の方法。
［Ｃ２］
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、Ｃ１に記載の方法。
［Ｃ３］
前記第１のコンポーネントキャリアが１次コンポーネントキャリアとして構成され、前記第２のコンポーネントキャリアが２次コンポーネントキャリアとして構成された、Ｃ１に記載の方法。
［Ｃ４］
前記第１のコンポーネントキャリアが第１の２次コンポーネントキャリアとして構成され、前記第２のコンポーネントキャリアが第２の２次コンポーネントキャリアとして構成された、Ｃ１に記載の方法。
［Ｃ５］
前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成される、Ｃ１に記載の方法。
［Ｃ６］
前記第１の制御チャネルのために構成された第１の探索空間と、前記第２の制御チャネルのために構成された第２の探索空間とを監視することをさらに備え、前記第１と前記第２の探索空間とがリソースの前記共通セットを共有する、Ｃ５に記載の方法。
［Ｃ７］
前記第２の探索空間は、前記第１の探索空間からオフセットされる、Ｃ６に記載の方法。
［Ｃ８］
前記第１の制御チャネルは、前記第１のコンポーネントキャリアに対応するキャリア指示情報を備え、
前記第１のコンポーネントキャリアに対応する前記キャリア指示情報の値が、前記第１と前記第２のタイプの制御チャネルとの両方のための前記第１のコンポーネントキャリアを識別する、Ｃ１に記載の方法。
［Ｃ９］
前記キャリア指示情報の前記値は、無線リソース制御（ＲＲＣ）構成に基づいて前記第２の制御チャネル中に含まれる、Ｃ１に記載の方法。
［Ｃ１０］
前記第２の制御チャネルは第１のサブフレーム中の前記第１のタイプの制御チャネルであり、第２のサブフレーム中の前記第２のタイプの制御チャネルであり、前記第１のサブフレームは前記第２のサブフレームとは異なる、Ｃ１に記載の方法。
［Ｃ１１］
前記第２の制御チャネルのために構成されたＵＥ固有探索空間を監視することをさらに備える、Ｃ１に記載の方法。
［Ｃ１２］
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することとを備える、ワイヤレス通信の方法。
［Ｃ１３］
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、Ｃ１２に記載の方法。
［Ｃ１４］
前記第１のコンポーネントキャリアは、１次コンポーネントキャリアとして構成され、前記第２のコンポーネントキャリアは、２次コンポーネントキャリアとして構成された、Ｃ１２に記載の方法。
［Ｃ１５］
前記第１のコンポーネントキャリアが第１の２次コンポーネントキャリアとして構成され、前記第２のコンポーネントキャリアが第２の２次コンポーネントキャリアとして構成された、Ｃ１２に記載の方法。
［Ｃ１６］
前記第１の制御チャネルと前記第２の制御チャネルとは、拡張物理ダウンリンク制御チャネル（ＥＰＤＣＣＨ）であり、
前記方法は、前記第１の制御チャネルと前記第２の制御チャネルとのためのリソースの共通セットを構成することをさらに備える、Ｃ１２に記載の方法。
［Ｃ１７］
前記第１の制御チャネルのために第１の探索空間を、および前記第２の制御チャネルのために第２の探索空間を構成することをさらに備え、前記第１の探索空間と前記第２の探索空間とがリソースの前記共通セットを共有する、Ｃ１６に記載の方法。
［Ｃ１８］
前記第２の探索空間は、前記第１の探索空間からオフセットされる、Ｃ１７に記載の方法。
［Ｃ１９］
前記第１の制御チャネルは、前記第１のコンポーネントキャリアに対応するキャリア指示情報を備え、
前記第１のコンポーネントキャリアに対応する前記キャリア指示情報の値は、前記第１と前記第２のタイプの制御チャネルとの両方のための前記第１のコンポーネントキャリアを識別する、Ｃ１２に記載の方法。
［Ｃ２０］
前記第２のコンポーネントキャリアに対応する前記キャリア指示情報の前記値は、無線リソース制御（ＲＲＣ）構成に基づいて前記第２の制御チャネル中に含まれる、Ｃ１２に記載の方法。
［Ｃ２１］
前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、Ｃ１２に記載の方法。
［Ｃ２２］
前記第２の制御チャネルのためにＵＥ固有探索空間を構成することをさらに備える、Ｃ１２に記載の方法。
［Ｃ２３］
第１のコンポーネントキャリアと第２のコンポーネントキャリアとを受信するための手段と、前記第１のコンポーネントキャリアは、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するための手段とを備える、ワイヤレス通信のための装置。
［Ｃ２４］
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、Ｃ２３に記載の装置。
［Ｃ２５］
前記第１のコンポーネントキャリアは、１次コンポーネントキャリアとして構成され、前記第２のコンポーネントキャリアは、２次コンポーネントキャリアとして構成された、Ｃ２３に記載の装置。
［Ｃ２６］
前記第１のコンポーネントキャリアは、第１の２次コンポーネントキャリアとして構成され、前記第２のコンポーネントキャリアは、第２の２次コンポーネントキャリアとして構成された、Ｃ２３に記載の装置。
［Ｃ２７］
前記第１の制御チャネルと前記第２の制御チャネルとは、拡張物理ダウンリンク制御チャネル（ＥＰＤＣＣＨ）であり、ここにおいて、リソースの共通セットが、前記第１の制御チャネルと前記第２の制御チャネルとのために構成された、Ｃ２３に記載の装置。
［Ｃ２８］
前記第１の制御チャネルのために構成された第１の探索空間と、前記第２の制御チャネルのために構成された第２の探索空間とを監視するための手段をさらに備え、前記第１の探索空間と前記第２の探索空間とがリソースの前記共通セットを共有する、Ｃ２７に記載の装置。
［Ｃ２９］
前記第２の探索空間は、前記第１の探索空間からオフセットされる、Ｃ２８に記載の装置。
［Ｃ３０］
前記第１の制御チャネルが、前記第１のコンポーネントキャリアに対応するキャリア指示情報を備え、
前記第１のコンポーネントキャリアに対応する前記キャリア指示情報の値は、前記第１と前記第２のタイプの制御チャネルとの両方のための前記第１のコンポーネントキャリアを識別する、Ｃ２３に記載の装置。
［Ｃ３１］
前記キャリア指示情報の前記値は、無線リソース制御（ＲＲＣ）構成に基づいて前記第２の制御チャネル中に含まれる、Ｃ２３に記載の装置。
［Ｃ３２］
前記第２の制御チャネルは、第１のサブフレーム中の前記第１のタイプの制御チャネルであり、第２のサブフレーム中の前記第２のタイプの制御チャネルであり、前記第１のサブフレームは、前記第２のサブフレームとは異なる、Ｃ２３に記載の装置。
［Ｃ３３］
前記第２の制御チャネルのために構成されたＵＥ固有探索空間を監視するための手段をさらに備える、Ｃ２３に記載の装置。
［Ｃ３４］
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するための手段と、ここにおいて、前記第２の制御チャネルが少なくとも第１または第２のタイプの制御チャネルのうちの１つであり、およびここにおいて、前記キャリア指示情報の値は、前記第１と前記第２のタイプとの制御チャネルの両方のための前記第２のコンポーネントキャリアを識別する、
前記第１と前記第２のコンポーネントキャリアとを送信するための手段とを備える、ワイヤレス通信のための装置。
［Ｃ３５］
前記第１のタイプの制御チャネルがレガシー物理ダウンリンク制御チャネル（ＰＤＣＣＨ）であり、前記第２のタイプの制御チャネルが拡張物理ダウンリンク制御チャネル（ＥＰＤＣＣＨ）である、Ｃ３４に記載の装置。
［Ｃ３６］
前記第１のコンポーネントキャリアは、１次コンポーネントキャリアとして構成され、前記第２のコンポーネントキャリアは、２次コンポーネントキャリアとして構成された、Ｃ３４に記載の装置。
［Ｃ３７］
前記第１のコンポーネントキャリアは、第１の２次コンポーネントキャリアとして構成され、前記第２のコンポーネントキャリアは、第２の２次コンポーネントキャリアとして構成された、Ｃ３４に記載の装置。
［Ｃ３８］
前記第１の制御チャネルと前記第２の制御チャネルとは、拡張物理ダウンリンク制御チャネル（ＥＰＤＣＣＨ）であり、
前記装置は、前記第１の制御チャネルと前記第２の制御チャネルとのためのリソースの共通セットを構成するための手段をさらに備える、Ｃ３４に記載の装置。
［Ｃ３９］
前記第１の制御チャネルのために第１の探索空間を、および前記第２の制御チャネルのために第２の探索空間を構成するための手段をさらに備え、前記第１と前記第２の探索空間とは、リソースの前記共通セットを共有する、Ｃ３８に記載の装置。
［Ｃ４０］
前記第２の探索空間は、前記第１の探索空間からオフセットされる、Ｃ３９に記載の装置。
［Ｃ４１］
前記第１の制御チャネルは、前記第１のコンポーネントキャリアに対応するキャリア指示情報を備え、前記第１のコンポーネントキャリアに対応する前記キャリア指示情報の値は、前記第１と前記第２のタイプの制御チャネルとの両方のための前記第１のコンポーネントキャリアを識別する、Ｃ３４に記載の装置。
［Ｃ４２］
前記第２のコンポーネントキャリアに対応する前記キャリア指示情報の前記値は、無線リソース制御（ＲＲＣ）構成に基づいて前記第２の制御チャネル中に含まれる、Ｃ３４に記載の装置。
［Ｃ４３］
前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、Ｃ３４に記載の装置。
［Ｃ４４］
前記第２の制御チャネルのためにＵＥ固有探索空間を構成するための手段をさらに備える、Ｃ３４に記載の装置。
［Ｃ４５］
メモリと、
前記メモリに結合され、
第１のコンポーネントキャリアと第２のコンポーネントキャリアとを受信することと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理することと
を行うように構成された少なくとも１つのプロセッサとを備える、ワイヤレス通信のための装置。
［Ｃ４６］
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、Ｃ４５に記載の装置。
［Ｃ４７］
前記第１のコンポーネントキャリアは、１次コンポーネントキャリアとして構成され、前記第２のコンポーネントキャリアは、２次コンポーネントキャリアとして構成された、Ｃ４５に記載の装置。
［Ｃ４８］
前記第１のコンポーネントキャリアは、第１の２次コンポーネントキャリアとして構成され、前記第２のコンポーネントキャリアは、第２の２次コンポーネントキャリアとして構成された、Ｃ４５に記載の装置。
［Ｃ４９］
前記第１の制御チャネルと前記第２の制御チャネルとは、拡張物理ダウンリンク制御チャネル（ＥＰＤＣＣＨ）であり、ここにおいて、リソースの共通セットは、前記第１の制御チャネルと前記第２の制御チャネルとのために構成された、Ｃ４５に記載の装置。
［Ｃ５０］
前記少なくとも１つのプロセッサは、前記第１の制御チャネルのために構成された第１の探索空間と、前記第２の制御チャネルのために構成された第２の探索空間とを監視するようにさらに構成され、前記第１と前記第２の探索空間とは、リソースの前記共通セットを共有する、Ｃ４９に記載の装置。
［Ｃ５１］
前記第２の探索空間は、前記第１の探索空間からオフセットされる、Ｃ５０に記載の装置。
［Ｃ５２］
前記第１の制御チャネルは、前記第１のコンポーネントキャリアに対応するキャリア指示情報を備え、
前記第１のコンポーネントキャリアに対応する前記キャリア指示情報の値が、前記第１と前記第２のタイプの制御チャネルとの両方のための前記第１のコンポーネントキャリアを識別する、
Ｃ４５に記載の装置。
［Ｃ５３］
前記キャリア指示情報の前記値は、無線リソース制御（ＲＲＣ）構成に基づいて前記第２の制御チャネル中に含まれる、Ｃ４５に記載の装置。
［Ｃ５４］
前記第２の制御チャネルは、第１のサブフレーム中の前記第１のタイプの制御チャネルであり、第２のサブフレーム中の前記第２のタイプの制御チャネルであり、前記第１のサブフレームは、前記第２のサブフレームとは異なる、Ｃ４５に記載の装置。
［Ｃ５５］
前記少なくとも１つのプロセッサは、前記第２の制御チャネルのために構成されたＵＥ固有探索空間を監視するようにさらに構成された、Ｃ４５に記載の装置。
［Ｃ５６］
メモリと、
前記メモリに結合され、
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成することと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信することと
を行うように構成された少なくとも１つのプロセッサとを備える、ワイヤレス通信のための装置。
［Ｃ５７］
前記第１のタイプの制御チャネルは、レガシー物理ダウンリンク制御チャネル（ＰＤＣＣＨ）であり、前記第２のタイプの制御チャネルは、拡張物理ダウンリンク制御チャネル（ＥＰＤＣＣＨ）である、Ｃ５６に記載の装置。
［Ｃ５８］
前記第１のコンポーネントキャリアは、１次コンポーネントキャリアとして構成され、前記第２のコンポーネントキャリアは、２次コンポーネントキャリアとして構成された、Ｃ５６に記載の装置。
［Ｃ５９］
前記第１のコンポーネントキャリアは、第１の２次コンポーネントキャリアとして構成され、前記第２のコンポーネントキャリアは、第２の２次コンポーネントキャリアとして構成された、Ｃ５６に記載の装置。
［Ｃ６０］
前記第１の制御チャネルと前記第２の制御チャネルとは、拡張物理ダウンリンク制御チャネル（ＥＰＤＣＣＨ）であり、
前記少なくとも１つのプロセッサが、前記第１の制御チャネルと前記第２の制御チャネルとのためにリソースの共通セットを構成するようにさらに構成された、Ｃ５６に記載の装置。
［Ｃ６１］
前記少なくとも１つのプロセッサが、前記第１の制御チャネルのために第１の探索空間を、および前記第２の制御チャネルのために第２の探索空間を構成するようにさらに構成され、前記第１と前記第２の探索空間とがリソースの前記共通セットを共有する、Ｃ６０に記載の装置。
［Ｃ６２］
前記第２の探索空間は、前記第１の探索空間からオフセットされる、Ｃ６１に記載の装置。
［Ｃ６３］
前記第１の制御チャネルが、前記第１のコンポーネントキャリアに対応するキャリア指示情報を備え、前記第１のコンポーネントキャリアに対応する前記キャリア指示情報の値が、前記第１と前記第２のタイプの制御チャネルとの両方のための前記第１のコンポーネントキャリアを識別する、Ｃ５６に記載の装置。
［Ｃ６４］
前記第２のコンポーネントキャリアに対応する前記キャリア指示情報の前記値は、無線リソース制御（ＲＲＣ）構成に基づいて前記第２の制御チャネル中に含まれる、Ｃ５６に記載の装置。
［Ｃ６５］
前記第２の制御チャネルは、第１のサブフレーム中の前記第１のタイプの制御チャネルであり、第２のサブフレーム中の前記第２のタイプの制御チャネルであり、前記第２のサブフレームは、前記第１のサブフレームとは異なる、Ｃ５６に記載の装置。
［Ｃ６６］
前記少なくとも１つのプロセッサが、前記第２の制御チャネルのためにＵＥ固有探索空間を構成するようにさらに構成された、Ｃ５６に記載の装置。
［Ｃ６７］
第１のコンポーネントキャリアと第２のコンポーネントキャリアとを受信するためのコードと、前記第１のコンポーネントキャリアが、前記第１のコンポーネントキャリアに対応する第１の制御チャネルを備え、前記第２のコンポーネントキャリアに対応する第２の制御チャネルとキャリア指示情報とを備え、ここにおいて、前記第２の制御チャネルが少なくとも第１または第２のタイプの制御チャネルのうちの１つであり、およびここにおいて、前記キャリア指示情報の値が、前記第１と前記第２のタイプの制御チャネルとの両方のための前記第２のコンポーネントキャリアを識別する、
前記第１と前記第２の制御チャネルとを処理するためのコードと
を備えるコンピュータ可読媒体を備える、コンピュータプログラム製品。
［Ｃ６８］
第１のコンポーネントキャリアに対応する第１の制御チャネルを含むように、および第２のコンポーネントキャリアに対応する第２の制御チャネルとキャリア指示情報とを含むように前記第１のコンポーネントキャリアを構成するためのコードと、ここにおいて、前記第２の制御チャネルが少なくとも第１または第２のタイプの制御チャネルのうちの１つであり、およびここにおいて、前記キャリア指示情報の値が前記第１と前記第２のタイプの制御チャネルとの両方のための前記第２のコンポーネントキャリアを識別する、
前記第１と前記第２のコンポーネントキャリアとを送信するためのコードと
を備えるコンピュータ可読媒体を備える、コンピュータプログラム製品。